(57)【要約】      （修正有）【課題】従来のボックス型仮設トイレを使用するにもかかわらず、輸送性、現地組立・撤去性、及び使用便益性を向上させつつ、さらに、周囲環境に与える違和感を極力少なくすることができる仮設トイレを提供する。【解決手段】仮設施設１００に対して取り付けられており、仮設施設１００の搬送時には閉状態であり、仮設施設１００の使用時には開状態となって相対的に高い箇所に位置するスイングドア５０ａ，５０ｂ，５０ｃ，５０ｄに取り付けられている案内装置と、スイングドア５０ａ，５０ｂ，５０ｃ，５０ｄの位置を制御する制御部５２ａ，５２ｂ，５２ｃ，５２ｄと、仮設施設１００の搬送時に案内装置によって覆われていない領域を覆う部材とを備え、仮設施設１００は、トイレ、案内所スペース、喫煙スペース、多目的スペース、手洗器のいずれか又は、これらの組み合わせとする。【選択図】図１
2016028183.tif 000002
【特許請求の範囲】
【請求項１】
搬送時には閉状態であり、使用時には開状態となって相対的に高い箇所で案内をする案内部が取り付けられている、仮設施設。
【請求項２】
前記案内部は、スイングドア又は垣パネルを兼用する、請求項１記載の仮設施設。
【請求項３】
前記スイングドア又は垣パネルの位置を制御する制御部を備える、請求項２記載の仮設施設。
【請求項４】
トイレ、案内所スペース、喫煙スペース、多目的スペース、手洗器のいずれか又は、これらの組み合わせである、請求項１記載の仮設施設。
【請求項５】
解体することなく貨物自動車の荷台に搭載するための吊り金具が上部に設けられている、請求項１記載の仮設施設。
【発明の詳細な説明】
【技術分野】
【０００１】
本発明は、仮設施設に関し、特に、イベント会場、災害現場、海水浴施設等の屋外に設置される、仮設トイレなどの仮設施設に関する。
【背景技術】
【０００２】
大勢の利用者が想定される場所に仮設トイレを設置する場合、想定される利用者数に対応できるだけの数の仮設トイレを設置する必要があるところ、従来のボックス型仮設トイレは重く、また、折り畳むことができないため、搬送及び設置が大変であるという問題があった。そこで、特許文献１には、従来のボックス型仮設トイレに代えて、軽量かつ折り畳み可能な仮設トイレを提供するため、仮設トイレの外形に沿って組み立てられるフレームと、前記フレームに固定され、前記仮設トイレの側面を形成する側面用幕と、前記側面用幕の内側に上側が開くように取り付けられる略逆三角形のシート状の受け部と、前記受け部がその上側を開いた形状を保持するように前記受け部の上縁部及び正面に着脱可能に取り付けられる成形バーと、前記受け部で受けた小便を前記仮設トイレ外へと排出するための排水チューブと、を備え、前記受け部及び前記成形バーによって小便器が形成されることを特徴とする仮設トイレについて開示されている。
【特許文献１】特許第５１４０１８８号公報
【発明の開示】
【発明が解決しようとする課題】
【０００３】
しかし、特許文献１の仮設トイレは、イベント会場等に設置した場合、その周辺に多くの人がいることが予想されるので、仮設トイレの位置を遠方から正確に判断することは困難である。
【０００４】
通常、イベント会場等は、仮設トイレの設置はもちろんのこと、仮設の飲食販売施設なども多く設置されるため、遠方からは人だかりができているときに、その先に何かがあるということは把握できても、それが仮設の飲食販売施設であるのか、仮設トイレであるのか、はたまた、まったく別の仮設施設であるのかを把握することは困難である。
【０００５】
そこで、本発明は、たとえ遠方からであっても、種別を特定することができる仮設施設を提供することを課題とする。
【課題を解決するための手段】
【０００６】
上記課題を解決するために、本発明の仮設施設は、搬送時には閉状態であり、使用時には開状態となって相対的に高い箇所で案内をする案内部が取り付けられている。
【０００７】
案内部は、スイングドア又は垣パネルを兼用してもよい。仮設施設が全体として軽量化できるからである。また、前記スイングドア又は垣パネルの位置を制御する制御部を備えてもよい。また、前記仮設施設は、トイレ、案内所スペース、喫煙スペース、多目的スペース、手洗器のいずれか又は、これらの組み合わせとすることができる。
【０００８】
さらに、解体することなく貨物自動車の荷台に搭載するための吊り金具が上部に設けられているとよい。
【０００９】
前記仮設施設を、仮設設置ユニットを解体することなく貨物自動車の荷台に搭載するための吊り金具が、前記仮設施設の上部に設けられていてもよい。
【図面の簡単な説明】
【００１０】
【図１】本発明の実施形態の仮設設置ユニットであるところの仮設トイレユニット１００の前面側からみた斜視図であり、スイングドア５０ａ〜５０ｄを開状態とした図である。
【図２】図１に示す仮設トイレユニット１００のスイングドア５０ａ〜５０ｄを閉状態とした図である。
【図３】図１の変形例を示す図である。
【図４】図１の別の変形例を示す図である。
【符号の説明】
【００１１】
１０  天井パネル
２０  ボックス型仮設トイレ
３０  側面パネル
４０  フレーム
５０ａ〜５０ｄ  スイングドア
６０  床パネル
１００  仮設トイレユニット
【発明を実施するための形態】
【００１２】
以下、本発明の実施形態について図面を参照して説明する。なお、各図において、同様の部分には、同一符号を付している。
【００１３】
図１は、本発明の実施形態の仮設設置ユニットであるところの仮設トイレユニット１００の前面側からみた斜視図であり、スイングドア５０ａ〜５０ｄを開状態とした図である。図２は、図１に示す仮設トイレユニット１００のスイングドア５０ａ〜５０ｄを閉状態とした図である。
【００１４】
図１，図２には、ラーメン構造を構成するフレーム４０と、フレーム４０間に設けられている天井パネル１０，側面パネル３０及び床パネル６０と、仮設トイレユニット１００の搬送時には閉状態となり使用時には開状態となるスイングドア５０ａ〜５０ｄと、スイングドア５０ａ〜５０ｄの開閉位置を規定するダンパー５２ａ〜５２ｄと、各パネル１０，３０，６０で囲まれた領域に組み込まれた例えば７台の相互に連結されたボックス型仮設トイレ２０とを示している。
【００１５】
仮設トイレユニット１００は、図１に示すものを解体することなく、トラックによって搬送できるようにしている。このため、仮設トイレユニット１００のサイズは、例えば中型の４トントラックで搬送することを前提とするならば、その荷台寸法に合わせて、長さが約６０００ｍｍ、幅が約２３００ｍｍ、高さが約２３００ｍｍなどとするとよい。
【００１６】
仮設トイレユニット１００を構成する各部は、搬送時の負担を軽減するために、軽量化するとよい。また、仮設トイレユニット１００を構成する各部は、風雨にも耐えうるような堅牢性を備えるとよく、そのためには、スチール製、樹脂製、アルミニウム製などとするとよい。
【００１７】
具体的には、天井パネル１０、側面パネル３０及びスイングドア５０ａ，５０ｂについては、例えば、ハニカム状とされた２ｃｍ程度の厚さのアルミニウムパネルとすることができる。床パネル６０及びスイングドア５０ｃ，５０ｄについては、数ｍｍ〜数ｃｍ程度の厚さのステンレス製又はステンレス鋼板とすることができる。フレーム４０については、１０ｃｍ角程度のスチール製とすることができる。
【００１８】
スイングドア５０ａ，５０ｂは、フレーム４０の梁部にヒンジによって取り付けられている。このため、スイングドア５０ａ，５０ｂは、ヒンジでの回動によって上方に向けて開状態とすることができる。スイングドア５０ａ，５０ｂの開閉位置は、ダンパー５２ａ，５２ｂによって制御することが可能である。
【００１９】
スイングドア５０ａ，５０ｂは、図１に示すように、案内板も兼ねるようにしている。具体的には、スイングドア５０ａ，５０ｂが開状態となった際に、仮設トイレユニット１００の位置を示す案内を付すとよい。
【００２０】
通常、多くの人が参加するイベント等では、立て札等を低い位置に設けると、人混みに隠れてしまい、仮設トイレユニット１００の位置を知ることに困難がある。しかし、本実施形態の仮設トイレユニット１００によれば、この例では、スイングドア５０ａ，５０ｂを開状態とすると、仮設トイレユニット１００の上方に、案内板が位置することになるので、仮設トイレユニット１００の位置を、遠方にいる人にも知らせることができる。
【００２１】
なお、スイングドア５０ａ，５０ｂは、ヒンジ機構によって開閉を行うのではなく、上下にスライドさせる構成とすることも可能である。係る場合には、ダンパー５２ａ，５２ｂを設けることに代えて、スイングドア５０ａ，５０ｂのスライドを実現するためのレールを設ければよい。
【００２２】
また、図１では、スイングドア５０ａ，５０ｂは、仮設トイレユニット１００の長手方向のフレーム４０の梁につき、全体的に設けられている例を示しているが、それぞれ、例えば、スイングドア５０ａ，５０ｂの長手方向の長さが、図１に示すものの１／３〜２／３程度の長さとしてもよい。こうすると、スイングドア５０ａ，５０ｂは、案内板としての機能は十分に果たしつつ、強風時であっても、その影響を受けにくくなるなどの利点がある。
【００２３】
さらに、スイングドア５０ａ，５０ｂ自体を小さくするのではなく、例えば、スイングドア５０ａを案内板と兼用し、スイングドア５０ｂは半分程度の開状態とすることで、仮設トイレユニット１００の庇として利用することも可能である。
【００２４】
また、スイングドア５０ａ，５０ｂの案内板部分は、アルミニウム軽合金製又はプラスチック製等のフレームにテント生地を張り付けたものとすることもできる。係る場合には、そのテント生地に切れ込みをいれれば、風対策にも役立つ。
【００２５】
スイングドア５０ｃ，５０ｄは、床パネル６０の端面にヒンジによって取り付けられており、使用時にはヒンジの回動によって下方に向けて開状態とすることができる。スイングドア５０ｃ，５０ｄの開閉位置は、スイングドア５０ａ，５０ｂの場合と同様に、ダンパー５２ｃ，５２ｄによって制御することが可能である。
【００２６】
スイングドア５０ｃ，５０ｄは、スロープを形成するようにすれば、特に、年配の人や車いすの人にとって、ボックス型仮設トイレ２０までの往来が便利になる。スイングドア５０ｃ，５０ｄ及び床パネル６０の表面は、それぞれ、滑り止め塗装仕上げとするなどして、ユーザが雨天時などに足を滑らすことがないようにするとよい。
【００２７】
また、フレーム４０の梁部上面等の少なくとも四隅には、トラックに対する積み下ろし用の図示しない吊り金具が設けられている。これにより、仮設トイレユニット１００を、解体することなくトラックに対して積み下ろしすることができる。
【００２８】
なお、天井パネル１０には、太陽光パネルを設置することもできる。太陽光パネルと蓄電地とを組み合わせることにより、仮設トイレユニット１００の電源が不要になる等の利点がある。また、側面パネル３０、床パネル６０は、軽量化のため、メッシュ状にすることも一法である。また、スイングドア５０ｃ，５０ｄを設けることは必須ではなく、軽量化のために割愛してもよい。
【００２９】
仮設トイレユニット１００の背面は、背面パネルを設けてもよいし、ボックス型仮設トイレ２０からの便の汲み取り等の便宜上、解放状態としてもよい。特に、解放状態とすると、自然換気を促進させ、ボックス型仮設トイレ２０の臭気の低減にも寄与する。なお、ここでいう解放状態とは、意匠性の向上等のために、テント生地などを張ることが排除されるものではない。
【００３０】
このテント生地について付言すると、これに限定されるものではないが、フックによる着脱式にすることで交換を容易にすることが好ましい。具体的には、フレーム４０のうち、スイングドア５０ａ等が設けられている面の裏面側にある柱部分に、１本当たり２〜４箇所程度のフックを設置し、テント生地側は、フックの位置に対応した箇所にハトメ等を取り付ければ、ハトメ等をフックにかけることにより、容易にテント生地を張ることができる。
【００３１】
テント生地は、綿帆布に防水加工を施したもの、ポリエステルの織物に塩化ビニールを貼り合わせたもの、フッ素樹脂コート加工がされた不燃性のもの等があるが、軽量で強度があるため、横断幕や懸垂幕等に多用される布状のものでもよい。なお、テント生地を張り付ける場合は、仮設トイレユニット１００の背面を全面的に覆うものでもよいが、上下に隙間を空け、自然換気を可能にするとよい。隙間の程度は、上下とも１００ｍｍ程度あければよい。
【００３２】
さらに、テント生地を広告として利用することも可能である。例えば、マラソン大会のイベント会場ならば、大会のポスターに使用されている絵柄と同じものを、テント生地に印刷すればよい。また、衛生関連企業、製薬関連企業、又は、イベントのスポンサー企業の広告を印刷してもよい。
【００３３】
なお、テント生地に広告を印刷する方法としては、インクジェット方式が多用されるが、画像を描いたフィルムを貼り付ける方式や、テント用ペンキで描く方式としてもよい。
【００３４】
ボックス型仮設トイレ２０は、市販のものを使用することができる。一般に、市販品の幅は、８５０ｍｍ前後なので、仮設トイレユニット１００の全長を約２０フィートとすると、７台のボックス型仮設トイレ２０を組み込むことができる。
【００３５】
仮設トイレユニット１００は、図２に示すように、スイングドア５０ａ〜５０ｄを閉じると、仮設トイレユニット１００は、略直方体となる。したがって、既述のように、吊り金具を通じてクレーン車等によって持ち上げて、トラックの荷台に乗せて搬送することが可能となる。
【００３６】
図３は、図１の変形例を示す図である。図１には、男性用トイレ及び女性用トイレとしてボックス型仮設トイレ２０を示したが、ここでは、女性用トイレであるボックス型仮設トイレ２０に代えて、案内所スペースを設けた例を示している。このように、仮設トイレユニット１００は、全てをトイレスペースとする必要はない。
【００３７】
したがって、例えば、ボックス型仮設トイレ２０の幾つかに代えて、案内所スペース、喫煙スペース、育児用などの多目的スペースを設けてもよいし、ボックス型仮設トイレ２０の使用後の手洗いのために、ボックス型仮設トイレ２０の７台のうち１台は、仮設手洗器としてもよい。
【００３８】
また、ボックス型仮設トイレ２０の７台のうち３台に代えて、車いす使用者等が利用できる多目的仮設トイレとすることもできる。こうすれば、多目的仮設トイレ内の幅を２４００ｍｍ程度は確保することができるので、車いすの方向転換が容易となる。
【００３９】
なお、ボックス型仮設トイレ２０の相互の連結は、通常、ボックス型仮設トイレの枠部に連棟専用金具が設けられているので、これを通じてボックス型仮設トイレ２０を相互に連結すればよい。また、側面パネル３０に対向するボックス型仮設トイレ２０は、連棟専用金具等を用いて、側面パネル３０に固定するとよい。
【００４０】
図４は、図１の別の変形例を示す図である。図４（ａ）及び図４（ｂ）には、仮設トイレユニット１００を上部から見た斜視図を示している。図４（ａ）及び図４（ｂ）に示すように、本実施形態の別の変形例では、スイングドア５０ａ〜５０ｄに代えて或いはスイングドア５０ａ〜５０ｄとともに、垣パネル７０ａ〜７０ｄを設けている。
【００４１】
垣パネル７０ａ〜７０ｄは、梁状のフレーム４０上に形成された枕木８０ａ〜８０ｄに対して、それぞれ、ヒンジ部７２ａ〜７２ｄを通じて接続されている。枕木８０ａ〜８０ｄは、図４に示す例では、枕木８０ｂ，８０ｄが高く、枕木８０ａ，８０ｃが低い。これは、図４（ａ）に示すように、垣パネル７０ａ〜７０ｄを収容する際に、これらが折り重なるようにするためである。したがって、枕木８０ａ〜８０ｄの高さについては、これに限定されるものではなく、垣パネル７０ａ〜７０ｄのタイプに応じて決定すればよい。
【００４２】
また、図４（ｂ）には、相互に隣接する垣パネル７０ａ〜７０ｄが、角部で接する態様で示されているが、これらが接することは必須ではなく、垣パネル７０ａ〜７０ｄの幅を狭めてもよい。さらに、垣パネル７０ａ〜７０ｄの全てを設ける人が必須ではなく、例えば、垣パネル７０ｄを割愛して、３枚の垣パネル７０ａ〜７０ｃのみとすることもできる。
【００４３】
図４に示すように、垣パネル７０ａ〜７０ｄを設けると、例えば、警備員、警察官などが、仮設トイレユニット１００の垣パネル７０ａ〜７０ｄで囲まれた箇所に上って、通行人等に対して交通整理をすることができる。係る場合には、警備員等は、高所から通行人等を見ることができるので、的確な交通整理が可能となる。
【００４４】
単に、交通整理をするだけでなるならば、垣パネル７０ａ〜７０ｄを設ける意味合いは大きくないが、垣パネル７０ａ〜７０ｄは、警備員らが仮設トイレユニット１００から転落することを防止できるし、スイングドア５０ａ等に代えて、垣パネル７０ａ〜７０ｄに案内表示をすることもできる。なお、垣パネル７０ａは、電動などによってその位置を制御するようにしてもよい。
【００４５】
以上、本実施形態では、スイングドア５０ａ等又は垣パネル７０ａ等を、案内としても有効利用することを説明したが、スイングドア５０ａ等又は垣パネル７０ａ等は、例えば、軽量化であったり、風の影響を受けにくくするためであったりという理由から、柵状とすることもできる。
【図４】
2016028183.tif 000003
【図１】
2016028183.tif 000004
【図２】
2016028183.tif 000005
【図３】
2016028183.tif 000006